(57)【要約】【課題】施工が容易でありかつ見栄えのよい玄関框構造を提供する。【解決手段】垂直面部（１）および天面部（２）を有し断面形状が略逆Ｌ字状の化粧材（３）が框土台（５）に釘またはビス（６）により固定された玄関框構造において、化粧材（３）の垂直面部（１）および天面部（２）の少なくとも一方に釘またはビス（６）を挿通させる凹所（７）が形成されており、凹所（７）に挿通した釘またはビス（６）を隠蔽しかつ凹所（７）を凹所（７）以外の部分の表面と略面一とするカバー（８）が凹所（７）に取り付けられている構造とする。【選択図】          図１
2004250950.tif 000002
【特許請求の範囲】
【請求項１】
垂直面部および天面部を有し断面形状が略逆Ｌ字状の化粧材が框土台に釘またはビスにより固定された玄関框構造において、化粧材の垂直面部および天面部の少なくとも一方に釘またはビスを挿通させる凹所が形成されており、凹所に挿通した釘またはビスを隠蔽しかつ凹所を凹所以外の表面と略面一とするカバーが凹所に取り付けられていることを特徴とする玄関框構造。
【請求項２】
凹所が、化粧材の長手方向に沿って形成された凹溝であることを特徴とする請求項１記載の玄関框構造。
【請求項３】
カバーが弾性を有し、その弾性によりカバーが凹所に嵌入されて取り付けられていることを特徴とする請求項１または２記載の玄関框構造。
【請求項４】
カバーまたは凹所の一方に係止突起部、他方に係止受部が形成されており、その係止突起部と係止受部が嵌合係止されてカバーが凹所に嵌入されていることを特徴とする請求項３記載の玄関框構造。
【請求項５】
凹所が化粧材の垂直面部に形成されていることを特徴とする請求項１ないし４いずれかに記載の玄関框構造。
【請求項６】
化粧材が、垂直面部に形成された凹所から下端面部にわたってカバーにより被覆されていることを特徴とする請求項５記載の玄関框構造。
【発明の詳細な説明】
【０００１】
【発明の属する技術分野】
この出願の発明は、玄関框構造に関するものである。さらに詳しくは、この出願の発明は、施工が容易でありかつ見栄えのよい玄関框構造に関するものである。
【０００２】
【従来の技術】
従来の玄関框構造としては、断面形状が略逆Ｌ字状の化粧材が、框土台に接着剤により固定されたものが知られており（特許文献１）、この玄関框構造においては、略逆Ｌ字状の化粧材にはたとえばその框土台側表面にスペーサ挿入部となる凹溝が形成されており、スペーサである木材板の一面を端部が框土台から突出した状態で框土台に当接して接着固定し、その木材板の端部を略逆Ｌ字状の化粧材の凹溝に挿入することで化粧材が木材板（スペーサ）を介して框土台に固定されている。
【０００３】
【特許文献１】
特開２０００−１３６６２２
【０００４】
【発明が解決しようとする課題】
しかしながら、上記のような玄関框構造では施工工程において接着剤を用いて略逆Ｌ字状の化粧材を框土台に固定しているため接着剤が固まるまでの時間が掛かり、また木材板などへの接着剤の塗布の工程などにより手間がかかっていた。
【０００５】
一方で釘打ち、ビス止めにより略逆Ｌ字状の化粧材を框土台に固定することも考えられるが、その場合釘やビスなどの頭部が見えてしまい見栄えが悪くまた危険なため、その頭部を見えなくするために特殊な釘やビスを使用したり、頭部を隠蔽処理したりすることが必要であり施工の際にテクニックや手間を必要としていた。
【０００６】
そこでこの出願の発明は、以上のとおりの事情に鑑みてなされたものであり、従来技術の問題点を解消し、施工が容易でありかつ見栄えのよい玄関框構造を提供することを課題としている。
【０００７】
【課題を解決するための手段】
この出願の発明は、上記の課題を解決するものとして、まず第１には、垂直面部および天面部を有し断面形状が略逆Ｌ字状の化粧材が框土台に釘またはビスにより固定された玄関框構造において、化粧材の垂直面部および天面部の少なくとも一方に釘またはビスを挿通させる凹所が形成されており、凹所に挿通した釘またはビスを隠蔽しかつ凹所を凹所以外の表面と略面一とするカバーが凹所に取り付けられていることを特徴とする玄関框構造を提供する。
【０００８】
第２には、この出願の発明は、第１の発明において、凹所が、化粧材の長手方向に沿って形成された凹溝であることを特徴とする玄関框構造を提供する。
【０００９】
さらに、第３には、第１または２の発明において、カバーが弾性を有し、その弾性によりカバーが凹所に嵌入されて取り付けられていることを特徴とする玄関框構造を提供する。
【００１０】
また、第４には、第３の発明において、カバーまたは凹所の一方に係止突起部、他方に係止受部が形成されており、その係止突起部と係止受部が嵌合係止されてカバーが凹所に嵌入されていることを特徴とする玄関框構造を提供する。
【００１１】
第５には、第１ないし４いずれかの発明において、凹所が化粧材の垂直面部に形成されていることを特徴とする玄関框構造を提供する。
【００１２】
第６には、第５の発明において、化粧材が、垂直面部に形成された凹所から下端面部にわたってカバーにより被覆されていることを特徴とする玄関框構造をも提供する。
【００１３】
【発明の実施の形態】
この出願の発明は上記のとおりの特徴をもつものであるが、以下に図面に沿って実施形態を示し、この出願の発明の玄関框構造についてさらに詳しく説明する。
【００１４】
図１（ａ）は、この出願の発明の玄関框構造の一実施形態を示す断面図である。
【００１５】
同図に示すように、この出願の発明の玄関框構造は、垂直面部（１）および天面部（２）を有する木製や発泡成形体製などの略逆Ｌ字状の化粧材（３）が床（４）と連続した状態で框土台（５）の上に配置されており、框土台（５）に釘またはビス（６）により固定されているのであるが、とくに、この化粧材（３）には釘またはビス（６）を挿通させる凹所（７）が形成されており、凹所（７）に挿通した釘またはビス（６）を隠蔽しかつ凹所を化粧材（３）の凹所（７）以外の部分の表面と略面一とするカバー（８）が凹所（７）に取り付けられていることを大きな特徴としている。
【００１６】
上記のようにこの出願の発明の玄関框構造は、化粧材（３）に釘またはビス（６）を挿通させるための凹所（７）が形成されていることから、釘またはビス（６）の頭部が化粧材（３）の表面よりも外側に突出してしまうことがなく、またその凹所（７）にカバー（８）が取り付けられているため、釘またはビス（６）の頭部を隠蔽することができ、また凹所（７）を化粧材（３）の他の部分の表面と略面一とすることができることから、見栄えの良い玄関框を提供することができる。また施工作業においても釘またはビス（６）を用いて化粧材（３）を框土台（５）に固定することができることから、接着剤を用いないため接着剤が固まるまでの時間を必要とせず、施工作業の効率も大幅に向上させることができる。
【００１７】
なお、この化粧材（３）の框土台（５）への固定は主として釘またはビス（６）により行われるが、さらに図１（ａ）に示すように框土台（５）に凹部（９）を形成し、化粧材（３）に凸部（１０）を形成し、凹部（９）と凸部（１０）を嵌合させることによってより確実に化粧材（３）を框土台（５）に固定させることができる。もちろん逆に化粧材（３）に凹部を形成し、框土台（５）に凸部を形成してもよい。
【００１８】
なお、この出願の発明の玄関框構造においては、凹所（７）を釘またはビス（６）の大きさにあわせた円状や正方形状のものとしても良いが、好適には図１（ｂ）に示すように凹所（７）を、化粧材（３）の長手方向に沿って形成された凹溝（７Ａ）とするのが望ましい。このように凹所（７）を凹溝（７Ａ）とすることによって化粧材（３）を框土台（５）に釘またはビス（６）で固定する際の長手方向における釘打ちあるいはビス止めの位置の自由度が大きくなり、化粧材（３）の長手方向において任意の位置で釘またはビス（６）を用いて化粧材（３）を框土台（５）に固定することができる。なお、凹所（７）を図１（ｂ）に示すような化粧材（３）の長手方向に沿ってその全長にわたった凹溝（７Ａ）として形成する以外にも、図１（ｃ）に示すように化粧材（３）の長手方向に沿って複数に分かれた凹溝（７Ｂ）とすることも、またその他の形状の凹溝とすることも可能である。
【００１９】
そして、その凹所（７）に対して取り付けられるカバー（８）を、弾性を有するものとすることによって、その弾性によりカバー（８）が凹所（７）に嵌入されることから、接着剤などを用いずに簡単かつ確実に凹所（７）内にカバー（８）を固定することができるのである。またさらに、たとえば図１（ｄ）に示すように、弾性を有するカバー（８）を断面逆凹溝状とし、カバー（８）の両外側面部（１２）に係止突起部（１１）を形成しかつ凹所（７）にカバー（８）を係止するための係止受部（１３）を形成することでその係止突起部（１１）が係止受部（１３）に嵌合係止され、カバー（８）の外側方向への弾性および係止突起部（１１）の係止受部（１３）への嵌合係止により、確実にカバー（８）を凹所（７）内に固定することができる。
【００２０】
なお、上記図１（ｄ）においては、カバー（８）に係止突起部を形成し、凹所（７）に係止受部（１３）を形成した実施形態を例示したが、カバーに係止受部を形成し、凹所に係止突起部を形成してもよいことはもちろんである。
【００２１】
また、カバー（８）の形状については図１に示すような断面逆凹溝状のもの以外の形状であっても、凹所（７）内に固定され凹所（７）部分を化粧材（３）の表面と略面一とすることができればどのような形状であってもよい。またカバー（８）の材質についても特に限定はしないが弾性を有しかつ耐久性の高いものが好ましく、たとえば樹脂製のものが適している。
【００２２】
また図１（ａ）に示すように凹所（７）を化粧材（３）の天面部（２）に形成することももちろん可能であるが、図２に示すように凹所（７）を化粧材（３）の垂直面部（１）に設けることもでき、このように垂直面部（１）に凹所（７）を設けその凹所（７）にカバー（８）を取り付けることより、視線からはカバー（８）が見え難い位置となり、玄関框の見栄えを良好とすることができる。さらには、図３に示すようにカバー（８）を樹脂製などの防水性の高いものとしかつ化粧材（３）の垂直面部（１）に形成された凹所（７）から下端面部（１４）まで覆う形状とし、化粧材（３）の形状をカバー（８）の表面と化粧材（３）の他の表面が略面一となるように加工することで、垂直面部（１）の下部から下端面部（１４）にわたってカバー（８）により被覆することも可能である。このように化粧材（３）の下部から下端面部（１４）にわたってカバー（８）により覆うことによって、土間からの水はねなどに対しカバー（８）が水を受けることとなり、化粧材（３）の本体が木質系材料で作られている場合にも樹脂製などの防水性の高いカバー（８）があることにより化粧材（３）本体への浸水を防止することができるのである。
【００２３】
もちろん、この発明は以上の例に限定されるものではなく、細部については様々な態様が可能であることは言うまでもない。
【００２４】
【発明の効果】
以上詳しく説明したとおり、この出願の発明によって、施工が容易でありかつ見栄えのよい玄関框構造が提供される。
【図面の簡単な説明】
【図１】この出願の発明の玄関框構造の一実施形態を例示した断面図、平面図および要部拡大断面図である。
【図２】この出願の発明の玄関框構造の図１とは異なる実施形態を例示した断面図である。
【図３】この出願の発明の玄関框構造の図１および図２とは異なる実施形態を例示した断面図である。
【符号の説明】
１  垂直面部
２  天面部
３  化粧材
４  床
５  框土台
６  釘またはビス
７  凹所
７Ａ、７Ｂ  凹溝
８  カバー
９  凹部
１０  凸部
１１  係止突起部
１２  外側面部
１３  係止受部
１４  下端面部
【図１】
2004250950.tif 000003
【図２】
2004250950.tif 000004
【図３】
2004250950.tif 000005